(57)【要約】      （修正有）【課題】水平方向に配置される棚板の支持と、水平方向に対して傾斜する方向に配置される棚板の支持とを共通化してレイアウト自由度を向上させることができる組立式棚を提供する。【解決手段】掛止凹部９０は、水平配置状態において、被掛止凸部と当接することにより第１及び第２水平棚板の位置を規制する底壁部９０ａ、縦壁部９０ｃ、９０ｅと、傾斜配置状態において、被掛止凸部７１ｂと当接することにより傾斜棚板７の位置を規制する底壁部９０ａ、縦壁部９０ｃ、角部９０ｆ、９０ｇと、水平配置状態における被掛止凸部の掛止位置（第１凹部９１）よりも下方に凹み、前記傾斜配置状態において被掛止凸部７１ｂの進入を許容する第２凹部９２とを有している。【選択図】図１１
2015134002.tif 000002
【特許請求の範囲】
【請求項１】
左右一対の側面板と、
該左右一対の側面板間に配設される棚板とを備えた組立式棚であって、
前記棚板は、左右両端に被掛止凸部を有する一方、
前記側面板には、前記棚板を支持する棚板支持部が、前記側面板の高さ方向に沿って複数並設され、
前記棚板支持部には、前記被掛止凸部を掛止することにより前記棚板の位置を規制する掛止凹部が、前後方向に沿って複数形成され、
該掛止凹部は、前記棚板が水平方向に配置される水平配置状態において、前記被掛止凸部と当接することにより前記棚板の位置を規制する水平配置規制部と、
前記棚板が前記複数の棚板支持部に跨って支持されることにより水平方向に対して傾斜する方向に配置される傾斜配置状態において、前記被掛止凸部と当接することにより前記棚板の位置を規制する傾斜配置規制部と、
前記水平配置状態における前記被掛止凸部の掛止位置よりも下方に凹み、前記傾斜配置状態において前記被掛止凸部の進入を許容する進入許容部とを有する
組立式棚。
【請求項２】
前記進入許容部は、側面視で矩形状をなし、
該進入許容部の下端に位置する底壁部の前後方向の幅が、前記底壁部から前記掛止凹部の上端部までの高さ方向の幅よりも短く設定された
請求項１記載の組立式棚。
【請求項３】
前記掛止凹部は、側面視で線対称となるように配置された
請求項１または２記載の組立式棚。
【請求項４】
棒状部材を支持する下部と、
該下部の幅寸法よりも大きく設定された上部とにより構成され、
前記下部と前記上部との間に段差部が形成された支持部材を複数備え、
前記棚板は、前記支持部材の下部が嵌まる第１挿通孔と、
前記支持部材の上部が嵌まる第２挿通孔とを有し、
該第２挿通孔は、高さ方向の孔幅が前記支持部材の上部の高さ方向の寸法と同じに設定され、
前記第１挿通孔と前記第２挿通孔との間には、前記段差部に当接することで前記支持部材の抜け落ちを規制する規制段差部が形成された
請求項１〜３のいずれか一項に記載の組立式棚。
【発明の詳細な説明】
【技術分野】
【０００１】
この発明は、左右一対の側面板と、該左右一対の側面板間に配設される棚板とを備えた組立式棚に関する。
【背景技術】
【０００２】
従来、左右一対の側面板間に配設される棚板を取り外し可能に構成した組立式棚が知られている。このうち、下記特許文献１では、水平方向に配置される棚板と、水平方向に対して傾斜する方向に配置されるマガジンラック状のポケット部（棚板）とを並設したものが開示されている。
【０００３】
上述のように、水平方向に対して傾斜するポケット部を備えることにより、ポケット部に陳列された書籍類の表紙や、ＣＤ、ＤＶＤ等のジャケット表面等を正面側に向かって見易くディスプレイすることができるようになっている。
【０００４】
また、下記特許文献１では、ポケット部の後端が側面板に回動可能に支持されると共に、ポケット部の左右両端前部にはピンが設けられており、これが側面板の前面に掛止されている。これにより、ポケット部は、上下２つの棚板に挟まれたスペース内を回動しながら上下動することができるようになっている。
【先行技術文献】
【特許文献】
【０００５】
【特許文献１】特開２００８−２５３４２５号公報
【発明の概要】
【発明が解決しようとする課題】
【０００６】
しかしながら、この場合、棚板専用の支持部とポケット部専用の支持部とがそれぞれ別個独立に設けられていることになり、棚板及びポケット部の位置が前記各支持部の位置に応じて一義的に決定されることになってしまう。つまり、前記特許文献１では、棚板を取り外し可能に構成しているにも関わらず、レイアウトの自由度が著しく制限されるという問題があった。
【０００７】
この発明は、水平方向に配置される棚板の支持と、水平方向に対して傾斜する方向に配置される棚板の支持とを共通化してレイアウト自由度を向上させることができる組立式棚を提供することを目的とする。
【課題を解決するための手段】
【０００８】
この発明の組立式棚は、左右一対の側面板と、該左右一対の側面板間に配設される棚板とを備えた組立式棚であって、前記棚板は、左右両端に被掛止凸部を有する一方、前記側面板には、前記棚板を支持する棚板支持部が、前記側面板の高さ方向に沿って複数並設され、前記棚板支持部には、前記被掛止凸部を掛止することにより前記棚板の位置を規制する掛止凹部が、前後方向に沿って複数形成され、該掛止凹部は、前記棚板が水平方向に配置される水平配置状態において、前記被掛止凸部と当接することにより前記棚板の位置を規制する水平配置規制部と、前記棚板が前記複数の棚板支持部に跨って支持されることにより水平方向に対して傾斜する方向に配置される傾斜配置状態において、前記被掛止凸部と当接することにより前記棚板の位置を規制する傾斜配置規制部と、前記水平配置状態における前記被掛止凸部の掛止位置よりも下方に凹み、前記傾斜配置状態において前記被掛止凸部の進入を許容する進入許容部とを有するものである。
【０００９】
この構成によれば、水平方向に対して傾斜した姿勢で掛止凹部に掛止されることに伴い、被掛止凸部の下端が水平配置状態の被掛止凸部の下端よりさらに下方に位置する場合であっても、これを進入許容部内に進入させることによって、被掛止凸部を確実に掛止凹部内に嵌め込んで安定的に掛止させることができる。
【００１０】
これにより、棚板支持部を、水平方向に配置される棚板（水平棚板）を支持するための支持部、及び水平方向に対して傾斜する方向に配置される棚板（傾斜棚板）を支持するための支持部として兼用することができ、水平棚板の支持と傾斜棚板の支持とを棚板支持部で共通化することができる。このため、水平棚板及び傾斜棚板の配置変更を行うことが可能になり、レイアウト自由度を向上させることができる。
【００１１】
この発明の一実施態様においては、前記進入許容部は、側面視で矩形状をなし、該進入許容部の下端に位置する底壁部の前後方向の幅が、前記底壁部から前記掛止凹部の上端部までの高さ方向の幅よりも短く設定されたものである。
【００１２】
この構成によれば、進入許容部を、縦長の矩形断面を有する管部材を掛止する掛止凹部として機能させることができる。この場合、横長の矩形断面を有する管部材に比べて、物品を吊下げたときの支持剛性を高めることができる。
【００１３】
この発明の一実施態様においては、前記掛止凹部は、側面視で線対称となるように配置されたものである。
【００１４】
この構成によれば、棚板支持部が側面板と別部材で構成された場合、棚板支持部を側面板に取付ける際、棚板支持部の向きを気にすることなく取付け作業を行うことができる。このため、棚板支持部の取付け作業における作業性を向上させることができる。
【００１５】
この発明の一実施態様においては、棒状部材を支持する下部と、該下部の幅寸法よりも大きく設定された上部とにより構成され、前記下部と前記上部との間に段差部が形成された支持部材を複数備え、前記棚板は、前記支持部材の下部が嵌まる第１挿通孔と、前記支持部材の上部が嵌まる第２挿通孔とを有し、該第２挿通孔は、高さ方向の孔幅が前記支持部材の上部の高さ方向の寸法と同じに設定され、前記第１挿通孔と前記第２挿通孔との間には、前記段差部に当接することで前記支持部材の抜け落ちを規制する規制段差部が形成されたものである。
【００１６】
この構成によれば、例えば、衣類等の長尺の物品が掛けられたハンガーを棒状部材で吊下げ支持してディスプレイするといった陳列形態をとることができる。
【００１７】
また、支持部材の上部の高さ方向の寸法が、第２挿通孔の高さ方向の孔幅と同じに設定されることで、第１及び第２挿通孔に支持部材が嵌め込まれた状態では、支持部材の上端と棚板の載置面とが面一になる。これにより、凹凸の無いフラットな載置面を形成することができる。
【発明の効果】
【００１８】
この発明によれば、水平方向に配置される棚板の支持と、水平方向に対して傾斜する方向に配置される棚板の支持とを共通化してレイアウト自由度を向上させることができる組立式棚を提供することができる。
【図面の簡単な説明】
【００１９】
【図１】本発明の実施形態に係る組立式棚を示す斜視図。
【図２】図１の分解斜視図。
【図３】棚本体を示す展開図。
【図４】棚板支持部材を示す側面図。
【図５】第１水平棚板を示す図であり、（ａ）は平面図、（ｂ）は正面図、（ｃ）は側面図。
【図６】第１水平棚板の掛止状態を示す側面図。
【図７】第２水平棚板を示す図であり、（ａ）は平面図、（ｂ）は正面図、（ｃ）は側面図。
【図８】第２水平棚板の掛止状態を示す側面図。
【図９】第２水平棚板の挿通孔に対して紙管受けを嵌め込んだ状態を示す部分断面図。
【図１０】傾斜棚板を示す図であり、（ａ）は平面図、（ｂ）は正面図、（ｃ）は側面図。
【図１１】傾斜棚板の掛止状態を示す側面図。
【図１２】本発明の他の実施形態に係る組立式棚の傾斜棚板の掛止状態を示す側面図。
【発明を実施するための形態】
【００２０】
以下、図面に基づいて本発明の実施形態を詳述する。  
図１は、本発明の実施形態に係る組立式棚１を示す斜視図であり、図２は、図１の分解斜視図である。図１、図２に示す組立式棚１は、例えば、商店等において物品（商品）をディスプレイする陳列棚として用いられるものであり、棚本体２と、ベース部３と、開き止め部材４と、第１及び第２水平棚板５、６と、傾斜棚板７とを備え、主に段ボールや厚紙等を複数枚積層した板材で構成されている。
【００２１】
棚本体２は、図１〜図３に示すように、左右一対の側面板２１、２１と、該側面板２１、２１間の背面板２２とを一体的に有している。そして、各板２１、２２の下端部には、嵌め込み凸部２１ａ、２２ａが形成され、これら各嵌め込み凸部２１ａ、２２ａがベース部３に形成された嵌め込み孔３１に隙間なく嵌め込まれることで、棚本体２がベース部３上に立設状態で載置される。
【００２２】
棚本体２は、ベース部３上に載置された状態では、図１に示すように平面視で略コ字状をなしており、左右両側面板２１、２１の嵌め込み凹部２１ｂ、２１ｂには、左右両側面板２１、２１を橋渡すように棒状の開き止め部材４（左右両端の嵌め込み凹部４１、４１）が嵌め込まれている。この開き止め部材４の嵌め込みにより、側面板２１、２１の開きを防止している。また、この開き止め部材４は、断面略矩形状をなしており、図１に二点鎖線で示すように、値札や商品紹介のポップ等を挟むパネルホルダ８を装着することができるようになっている。
【００２３】
側面板２１、２１の内側には、棚板支持部材９が高さ方向に沿って複数（ここでは７つ）並設されている。これら棚板支持部材９は、接着剤により側面板２１、２１に取付けられており、対向する棚板支持部材９、９同士が前後方向及び高さ方向において同じ位置に配置されている。
【００２４】
この棚板支持部材９は、いずれも図１〜図４に示すように、棚板５〜７の位置を規制する掛止凹部９０が、前後に１つずつ形成されている。この掛止凹部９０は、図４に示すように、前後方向に沿って横長に延びる略矩形状の第１凹部９１と、該第１凹部９１からさらに下方に凹む略矩形状の第２凹部９２とにより階段状に形成され、棚板支持部材９では、階段形状が側面視で線対称となるように前後の掛止凹部９０、９０が配置されている。
【００２５】
また、掛止凹部９０では、上述した第１凹部９１及び第２凹部９２により、２つの底壁部９０ａ、９０ｂと、３つの縦壁部９０ｃ、９０ｄ、９０ｅとが形成されており、第２凹部９２の下端に位置する底壁部９０ｂの前後方向の幅Ｌ１が、底壁部９０ｂから掛止凹部９０の上端部まで延びる縦壁部９０ｃの高さ方向の幅Ｌ２よりも短く設定されている。これにより、高さ方向の寸法が前後方向の寸法よりも長い図４に示すような縦長の矩形断面を有する紙管１０を第２凹部９２に嵌め込んで、これを掛止することができるようになっている。
【００２６】
第１水平棚板５は、図５（ａ）〜（ｃ）に示すように、平面視矩形状のベース板５１及び載置板５２と、棒状のストッパ５３とが上下に積層されることによって構成されている。
【００２７】
ベース板５１は、その幅方向両端部において、相対的に幅方向内側に凹む前部、中間部、後部の凹部５１ａと、相対的に幅方向外側に突出する２つの被掛止凸部５１ｂとを有している。
【００２８】
被掛止凸部５１ｂは側面視で矩形状をなしており、その高さ方向及び前後方向の寸法は、棚板支持部材９に形成された掛止凹部９０の第１凹部９１と同じに設定されている。また、前後の被掛止凸部５１ｂ、５１ｂ間の間隔は、棚板支持部材９の第１凹部９１、９１間の間隔と同じに設定されている。
【００２９】
載置板５２は、その面上に物品を載置するためのものであり、その幅方向の寸法は、左右一対の側面板２１、２１間の間隔と同じに設定されている。ここで、上述した被掛止凸部５１ｂは、その幅方向外側端部が平面視で載置板５２の幅方向端部と重なるように配置されており、これによって、ベース板５１の凹部５１ａ及び被掛止凸部５１ｂは、載置板５２によりその上方が覆われ、第１水平棚板５を上方から見たときには、凹部５１ａ及び被掛止凸部５１ｂが載置板５２によって見えないようになっている。
【００３０】
ストッパ５３は、その幅方向（長手方向）の寸法が載置板５２の幅方向の寸法と同じに設定されており、載置板５２の前端に配置されることで、載置板５２に載置された物品が落下することを防止する機能を有している。また、このストッパ５３は、断面矩形状に形成されていることで、例えば、図１に二点鎖線で示すように、値札や商品紹介のポップ等を長手方向に沿って複数並列に挟むことが可能な長尺のパネルホルダ１１を装着することができるようになっている。なお、本明細書では、載置板５２上に載置された物品をディスプレイする正面側、つまりは、背面板２２の反対側を前側と定義して説明する。
【００３１】
第１水平棚板５を組立式棚１に組付ける場合、左右両端部の被掛止凸部５１ｂ、５１ｂ、…を、同じ高さ位置にある左右の棚板支持部材９、９の第１凹部９１、９１、…に嵌め込む。被掛止凸部５１ｂを第１凹部９１に嵌め込んだ状態では、図６に示すように、被掛止凸部５１ｂの前後面部及び底面部が、それぞれ第１凹部９１の縦壁部９０ｃ、９０ｅ、底壁部９０ａに隙間なく当接し、これによって、被掛止凸部５１ｂが掛止凹部９０に掛止される。
【００３２】
第１水平棚板５は、被掛止凸部５１ｂが掛止凹部９０に掛止されることで、棚本体２に対する位置が規制され、所定の位置で棚板支持部材９に支持される。そして、この位置規制により、第１水平棚板５は、水平方向に配置される水平配置状態に保持される。
【００３３】
第２水平棚板６は、図７（ａ）〜（ｃ）に示すように、第１水平棚板５のベース板５１及び載置板５２に相当する平面視矩形状のベース板６１及び載置板６２と、ストッパ５３に相当する棒状のストッパ６３とが上下に積層されることによって構成されている。
【００３４】
ベース板６１は、ベース板５１と同様、その幅方向両端部において、相対的に幅方向内側に凹む前部、中間部、後部の凹部６１ａと、相対的に幅方向外側に突出する２つの被掛止凸部６１ｂとを有している。
【００３５】
また、第２水平棚板６では、ベース板６１及び載置板６２の左右両側にスリット状の挿通孔６１ｃ、６２ａが形成されている。挿通孔６２ａは、その前後方向の幅が挿通孔６１ｃよりも大きく設定されており、これによって、挿通孔６１ｃ、６２ａ間には段差部６４が形成されている。
【００３６】
上述した挿通孔６１ｃ、６２ａには、図１、図２、図８、図９に示すような紙管受け１２が嵌め込まれる。この紙管受け１２は、挿通孔６２ａと同じ幅寸法に設定された上部１２ａと、挿通孔６１ｃと同じ幅寸法に設定された下部１２ｂとにより構成され、両者間には、挿通孔６１ｃ、６２ａ間の段差部６４に対応する段差部１２ｃが形成されている。そして、下部１２ｂには、図１、図２、図９に示す丸パイプ状（丸棒状）の紙管１３を挿通可能な挿通孔１２ｄが形成されている。
【００３７】
挿通孔６１ｃ、６２ａに紙管受け１２が嵌め込まれた状態では、図９に示すように、上部１２ａ及び下部１２ｂがそれぞれ挿通孔６２ａ、６１ｃに隙間なく嵌まり込む。このとき、段差部１２ｃが挿通孔６１ｃ、６２ａ間の段差部６４に隙間なく当接、嵌合することで、紙管受け１２が第２水平棚板６から抜け落ちることが規制される。
【００３８】
また、上部１２ａの高さ方向の寸法は、挿通孔６２ａの高さ方向の孔幅（深さ）と同じに設定されており、これによって、挿通孔６１ｃ、６２ａに紙管受け１２が嵌め込まれた状態では、紙管受け１２の上端と載置板６２の載置面とが面一になり、凹凸の無いフラットな載置面を形成することができるようになっている。
【００３９】
第２水平棚板６を組立式棚１に組付ける場合、第１水平棚板５と同様、左右両端部の被掛止凸部６１ｂ、６１ｂ、…を、同じ高さ位置にある左右の棚板支持部材９、９の第１凹部９１、９１、…に嵌め込み、掛止凹部９０に掛止させる。
【００４０】
第２水平棚板６は、被掛止凸部６１ｂが掛止凹部９０に掛止されることで、棚本体２に対する位置が規制され、所定の位置で棚板支持部材９に支持される。そして、この位置規制により、第２水平棚板６は、水平方向に配置される水平配置状態に保持される。
【００４１】
組立式棚１では、第２水平棚板６が棚板支持部材９に支持された状態で２つの紙管受け１２、１２が左右一対の挿通孔６１ｃ、６２ａに嵌め込まれる。そして、各紙管受け１２、１２の挿通孔１２ｄ、１２ｄには、紙管１３の左右両端部が挿通され、これによって、紙管１３の両端部が、図１に示すように紙管受け１２、１２（下部１２ｂ、１２ｂ）に支持される。これにより、例えば、図１に二点鎖線で示すように、衣類Ｃ等の長尺の物品が掛けられたハンガーＨを紙管１３で吊下げ支持してディスプレイするといった陳列形態をとることができるようになっている。
【００４２】
傾斜棚板７は、図１０（ａ）〜（ｃ）に示すように、第１及び第２水平棚板５、６のベース板５１、６１及び載置板５２、６２に相当する平面視矩形状のベース板７１及び載置板７２と、ストッパ５３、６３に相当する棒状のストッパ７３とが上下に積層されることによって構成されている。
【００４３】
ベース板７１は、その幅方向両端部において、相対的に幅方向内側に凹む前部、中間部、後部の凹部７１ａと、相対的に幅方向外側に突出する２つの被掛止凸部７１ｂとを有している。
【００４４】
被掛止凸部７１ｂは側面視で矩形状をなしており、前後の被掛止凸部７１ｂ、７１ｂ間の間隔は、棚板支持部材９の第１凹部９１、９１間の間隔よりも長く設定されている。
【００４５】
載置板７２は、その面上に物品を立て掛けた状態で載置するためのものであり、その幅方向の寸法は、同じ高さ方向で対向する棚板支持部材９、９間の間隔と略同じかまたはそれよりも短く設定されている。上述した被掛止凸部７１ｂは、平面視で載置板７２の幅方向端部から突出するように配置されている。
【００４６】
ストッパ７３は、その幅方向（長手方向）の寸法が載置板７２の幅方向の寸法と同じに設定されており、載置板７２の下端（前端）に配置されることで、載置板７２に立て掛けられた物品を下方から支持する機能を有している。
【００４７】
傾斜棚板７を組立式棚１に組付ける場合、図１、図１１に示すように、左右両端部の被掛止凸部７１ｂ、７１ｂ、…を、上下の棚板支持部材９、９の掛止凹部９０、９０に跨って掛止させる。詳しくは、前側の被掛止凸部７１ｂを、図１１に示すように、下側の棚板支持部材９の前側の掛止凹部９０に掛止させる一方、後側の被掛止凸部７１ｂを、上側の棚板支持部材９の後側の掛止凹部９０に掛止させる。
【００４８】
被掛止凸部７１ｂを上下の掛止凹部９０、９０に跨って掛止させた状態では、図１１に示すように、前側の被掛止凸部７１ｂの前側上端の角部、底面部が、下側の棚板支持部材９において、それぞれ前側の掛止凹部９０の縦壁部９０ｃ、縦壁部９０ｅの上端の角部９０ｆに当接する。一方、後側の被掛止凸部７１ｂの前側下端の角部、底面部が、上側の棚板支持部材９において、それぞれ後側の掛止凹部９０の底壁部９０ａ、縦壁部９０ｃの上端の角部９０ｇに当接する。これにより、被掛止凸部７１ｂが、上下の棚板支持部材９、９の掛止凹部９０、９０に跨って掛止される。
【００４９】
このとき、前側及び後側の被掛止凸部７１ｂは、水平方向に対して傾斜した姿勢で掛止凹部９０、９０に掛止される。これにより、前側の被掛止凸部７１ｂの前側下端の角部は、下側の棚板支持部材９において、前側の掛止凹部９０の第１凹部９１、つまりは、前記水平配置状態における被掛止凸部５１ｂ、６１ｂの掛止位置よりもさらに下方の第２凹部９２内に進入する。
【００５０】
傾斜棚板７は、被掛止凸部７１ｂが上下の棚板支持部材９、９の掛止凹部９０、９０に跨って掛止されることで、棚本体２に対する位置が規制され、所定の位置で上下の棚板支持部材９、９に跨って支持される。そして、この位置規制により、傾斜棚板７は、水平方向に対して傾斜する方向に配置される傾斜配置状態に保持される。
【００５１】
傾斜棚板７では、上述したように、載置板７２の幅方向の寸法が、同じ高さ方向で対向する棚板支持部材９、９間の間隔と略同じかまたはそれよりも短く設定され、かつ被掛止凸部７１ｂが、平面視で載置板７２の幅方向端部から突出するように配置されることで、前記傾斜配置状態に保持されたとき、棚板支持部材９と載置板７２との干渉を回避することができるようになっている。
【００５２】
組立式棚１では、前記傾斜配置状態に保持された傾斜棚板７の載置板７２上に物品を立て掛けることが可能となっており、これによって、例えば、前記物品が書籍類や、ＣＤ、ＤＶＤ等である場合には、その表紙やジャケット表面等を前側（正面側）に向かって見易くディスプレイすることができるようになっている。
【００５３】
以上に示したように、本実施形態の組立式棚１は、左右一対の側面板２１、２１と、該左右一対の側面板２１、２１間に配設される棚板５〜７とを備え、該棚板５〜７は、それぞれ左右両端に被掛止凸部５１ｂ、６１ｂ、７１ｂを有する一方、側面板２１には、棚板５〜７を支持する棚板支持部材９が、側面板２１の高さ方向に沿って複数並設され、棚板支持部材９には、被掛止凸部５１ｂ、６１ｂ、７１ｂを掛止することにより棚板５〜７の位置を規制する掛止凹部９０が、前後方向に沿って複数形成され、該掛止凹部９０は、第１及び第２水平棚板５、６が水平方向に配置される水平配置状態において、被掛止凸部５１ｂ、６１ｂと当接することにより第１及び第２水平棚板５、６の位置を規制する底壁部９０ａ、縦壁部９０ｃ、９０ｅと、傾斜棚板７が複数の棚板支持部材９、９に跨って支持されることにより水平方向に対して傾斜する方向に配置される傾斜配置状態において、被掛止凸部７１ｂと当接することにより傾斜棚板７の位置を規制する底壁部９０ａ、縦壁部９０ｃ、角部９０ｆ、９０ｇと、水平配置状態における被掛止凸部５１ｂ、６１ｂの掛止位置（第１凹部９１）よりも下方に凹み、前記傾斜配置状態において被掛止凸部７１ｂの進入を許容する第２凹部９２とを有している。
【００５４】
上述した組立式棚１によれば、水平方向に対して傾斜した姿勢で掛止凹部９０、９０に掛止されることに伴い、被掛止凸部７１ｂの下端が前記水平配置状態の被掛止凸部５１ｂ、６１ｂの下端よりさらに下方に位置する場合であっても、これを第２凹部９２内に進入させることによって、被掛止凸部７１ｂを確実に掛止凹部９０内に嵌め込んで安定的に掛止させることができる。
【００５５】
これにより、棚板支持部材９を、第１及び第２水平棚板５、６を支持するための支持部材、及び傾斜棚板７を支持するための支持部材として兼用することができ、第１及び第２水平棚板５、６の支持と傾斜棚板７の支持とを棚板支持部材９で共通化することができる。このため、第１及び第２水平棚板５、６、及び傾斜棚板７の配置変更を行うことが可能になり、レイアウト自由度を向上させることができる。
【００５６】
また、本実施形態の組立式棚１では、第２凹部９２は、側面視で矩形状をなし、該第２凹部９２の下端に位置する底壁部９０ｂの前後方向の幅Ｌ１が、底壁部９０ｂから掛止凹部９０の上端部までの高さ方向の幅Ｌ２よりも短く設定されている。
【００５７】
上述した組立式棚１によれば、第２凹部９２を、縦長の矩形断面を有する紙管１０（図４参照）を掛止する掛止凹部として機能させることができる。この場合、横長の矩形断面を有する紙管に比べて、物品を吊下げたときの支持剛性を高めることができる。
【００５８】
また、本実施形態の組立式棚１では、掛止凹部９０は、側面視で線対称となるように配置されている。
【００５９】
上述した組立式棚１によれば、棚板支持部材９が側面板２１と別部材で構成された場合、棚板支持部材９を側面板２１に取付ける際、棚板支持部材９の向きを気にすることなく取付け作業を行うことができる。このため、棚板支持部材９の取付け作業における作業性を向上させることができる。
【００６０】
また、本実施形態の組立式棚１では、紙管１３を支持する下部１２ｂと、該下部１２ｂの幅寸法よりも大きく設定された上部１２ａとにより構成され、上部１２ａと下部１２ｂとの間に段差部１２ｃが形成された紙管受け１２を複数（２つ）備え、第２水平棚板６は、下部１２ｂが嵌まる挿通孔６１ｃと、上部１２ａが嵌まる挿通孔６２ａとを有し、該挿通孔６２ａは、高さ方向の孔幅が上部１２ａの高さ方向の寸法と同じに設定され、挿通孔６１ｃと挿通孔６２ａとの間には、段差部１２ｃに当接することで紙管受け１２の抜け落ちを規制する段差部６４が形成されている。
【００６１】
上述した組立式棚１によれば、例えば、図１に二点鎖線で示すように、衣類Ｃ等の長尺の物品が掛けられたハンガーＨを紙管１３で吊下げ支持してディスプレイするといった陳列形態をとることができる。
【００６２】
また、上部１２ａの高さ方向の寸法が、挿通孔６２ａの高さ方向の孔幅と同じに設定されることで、挿通孔６１ｃ、６２ａに紙管受け１２が嵌め込まれた状態では、紙管受け１２の上端と載置板６２の載置面とが面一になる。これにより、凹凸の無いフラットな載置面を形成することができる。
【００６３】
図１２は、本発明に係る組立式棚１の他の実施形態を示している。なお、図１２において、図１〜図１１に示す先の実施形態と同様の構成要素については、同一の符号を付して説明を省略する。
【００６４】
本実施形態では、図１２に示すように、水平方向に対して傾斜している被掛止凸部７１ｂの下端（前側下端の角部）の形状に対応して、掛止凹部１９０にＶ字状の第２凹部１９２が形成されている。これにより、前記傾斜配置状態では、被掛止凸部７１ｂの下端が第２凹部１９２の傾斜壁部１９０ｂ、１９０ｄに隙間なく当接することになり、これによって、被掛止凸部７１ｂをより安定的に掛止凹部１９０に掛止させることができる。
【００６５】
なお、上述した実施形態では、傾斜棚板７が上下に隣接する棚板支持部材９、９に跨って支持されるような構成となっているが、傾斜棚板７を支持する棚板支持部材９は必ずしも上下に隣接していなくてもよく、１つまたは複数の棚板支持部材９を挟んで傾斜棚板７を支持するような構成であってもよい。
【００６６】
また、上述した実施形態では、紙管１３を挿通するための挿通孔１２ｄを紙管受け１２の下部１２ｂに形成しているが、本発明は必ずしもこれに限定されるものではない。例えば、紙管１３を掛止するためのフック状の掛止部を紙管受け１２の下部１２ｂに形成してもよい。
【００６７】
この発明の構成と、上述の実施形態との対応において、
この発明の水平配置規制部は、底壁部９０ａ、縦壁部９０ｃ、９０ｅに対応し、
以下同様に、
傾斜配置規制部は、底壁部９０ａ、縦壁部９０ｃ、角部９０ｆ、９０ｇ、傾斜壁部１９０ｂ、１９０ｄに対応し、
進入許容部は、第２凹部９２、１９２に対応し、
棒状部材は、紙管１３に対応し、
支持部材は、紙管受け１２に対応し、
第１挿通孔は、挿通孔６１ｃに対応し、
第２挿通孔は、挿通孔６２ａに対応し、
規制段差部は、段差部６４に対応するも、
この発明は、上述の実施形態の構成のみに限定されるものではなく、多くの実施の形態を得ることができる。
【符号の説明】
【００６８】
１…組立式棚
５…第１水平棚板
６…第２水平棚板
７…傾斜棚板
９…棚板支持部材
１２…紙管受け
１２ａ…上部
１２ｂ…下部
１２ｃ…段差部
１３…紙管
２１…側面板
５１ｂ、６１ｂ、７１ｂ…被掛止凸部
６１ｃ、６２ａ…挿通孔
６４…段差部
９０、１９０…掛止凹部
９０ａ、９０ｂ…底壁部
９０ｃ、９０ｅ…縦壁部
９０ｆ、９０ｇ…角部
９２、１９２…第２凹部
１９０ｂ、１９０ｄ…傾斜壁部
【図１】
2015134002.tif 000003
【図２】
2015134002.tif 000004
【図３】
2015134002.tif 000005
【図４】
2015134002.tif 000006
【図５】
2015134002.tif 000007
【図６】
2015134002.tif 000008
【図７】
2015134002.tif 000009
【図８】
2015134002.tif 000010
【図９】
2015134002.tif 000011
【図１０】
2015134002.tif 000012
【図１１】
2015134002.tif 000013
【図１２】
2015134002.tif 000014